(57)【要約】      （修正有）【課題】降雪時や降雨時に特別な遮断板等を設置することなく、屋外の解放されている所定の領域に雪や雨が達することを防止する防雪・防雨装置を提供する。【解決手段】防雪・防雨装置１０は、高圧エア源１６と、該高圧エア源から高圧エアを供給され、広帯域の幅にわたって均一の高圧エアを雪または雨に向けて噴射して雪または雨を飛ばす少なくとも１つのノズル機構１２と、該ノズル機構を上部に設置するためのポール１４と、からなる。【選択図】図１
2015094134.tif 000002
【特許請求の範囲】
【請求項１】
高圧エア源と、
該高圧エア源から高圧エアを供給され、広帯域の幅にわたって均一の高圧エアを雪または雨に向けて噴射して雪または雨を飛ばす少なくとも１つのノズル機構と、
該ノズル機構を上部に設置するためのポールと、
を有することを特徴とする防雪・防雨装置。
【請求項２】
請求項１記載の防雪・防雨装置において、ノズル機構がポールの両側または片側に設置されていることを特徴とする防雪・防雨装置。
【請求項３】
請求項２記載の防雪・防雨装置において、ノズル機構が上下二段に設置されていることを特徴とする防雪・防雨装置。
【請求項４】
請求項１〜３のいずれか１つに記載の防雪・防雨装置において、高圧エア源が地上または地下に設置されていることを特徴とする防雪・防雨装置。
【請求項５】
請求項１〜３のいずれか１つに記載の防雪・防雨装置において、ポールが中空ポールであり、高圧エア源からの高圧エアが中空ポールの内部を通してノズル機構に供給されることを特徴とする防雪・防雨装置。
【請求項６】
請求項１〜３のいずれか１つに記載の防雪・防雨装置において、ノズル機構が固定または角度調節可能に設置されていることを特徴とする防雪・防雨装置。
【請求項７】
請求項１〜３のいずれか１つに記載の防雪・防雨装置において、ポールの上部のノズル機構を保護するためにポールの頂部に遮蔽板が設置されていることを特徴とする防雪・防雨装置。
【請求項８】
高圧エア源と、
該高圧エア源から高圧エアを供給され、広帯域の幅にわたって均一の高圧エアを雪または雨に向けて噴射して雪または雨を飛ばすために建物の部分に設置された少なくとも１つのノズル機構と、
を有することを特徴とする防雪・防雨装置。
【発明の詳細な説明】
【技術分野】
【０００１】
本発明は、防雪・防雨装置に関し、特に、雪または雨が降らないいときに障害物となることなく、屋外の解放されている所定の領域に雪や雨が達することを防止する防雪・防雨装置に関する。その他、ほこり、虫、匂い、煙を防止したり、霧を噴出して冷感を演出する装置に関する。以下の説明としては、防雪、防雨に関して説明する。
【背景技術】
【０００２】
今まで、雪や雨に高圧エアを噴射して吹き飛ばし、軒先等の地面に雪が積もる、または雨が降るのを防止する装置は存在しなかった。
【０００３】
一方、流体を所定の広帯域の幅で均一の圧力で噴射するノズル機構が特開２０００−３３４３３４号公報および特開２００６−１９８５８１号公報に提案されている。
【０００４】
特開２０００−３３４３３４号公報に記載されているノズル機構は、丸パイプとこれを包囲する角パイプとからなる二重ノズル体であり、丸パイプには長手方向にスリット状の角パイプへの流出口が形成されており、角パイプには長手方向にスリット状の噴射部が形成されている。高圧エアが丸パイプの一端から供給され、丸パイプの流出口から角パイプに入り、角パイプのスリット状の噴射口から均一圧力で噴射される。
【０００５】
特開２００６−１９８５８１号公報に記載されているノズル機構は、断面四角形の角筒状外管と断面四角形の角筒状内管とからなる二重ノズル体であり、角筒状内管には長手方向にスリット状の角筒状外管への流出口が形成されており、角筒状外管には長手方向にスリット状の噴射部が形成されている。高圧エアが角筒状内管の中央部から供給され、角筒状内管の流出口から角筒状外管に入り、角筒状外管のスリット状の噴射口から均一圧力で噴射される。前述のノズル機構は、エアカーテンや製品の水切り等に使用されている。
【先行技術文献】
【特許文献】
【０００６】
【特許文献１】特開２０００−３３４３３４号公報
【特許文献２】特開２００６−１９８５８１号公報
【発明の概要】
【発明が解決しようとする課題】
【０００７】
降雪時や降雨時に特別な遮断板等を設置することなく、屋外の解放されている所定の領域に雪や雨が達することを防止する防雪・防雨装置を提供するものである。
【課題を解決するための手段】
【０００８】
本発明の防雪・防雨装置は、高圧エア源と、該高圧エア源から高圧エアを供給され、広帯域の幅にわたって均一の高圧エアを雪または雨に向けて噴射して雪または雨を飛ばす少なくとも１つのノズル機構と、該ノズル機構を上部に設置するためのポールと、を有することを特徴とする。
【０００９】
また、本発明の防雪・防雨装置は、高圧エア源と、該高圧エア源から高圧エアを供給され、広帯域の幅にわたって均一の高圧エアを雪または雨に向けて噴射して雪または雨を飛ばすために建物の部分に設置された少なくとも１つのノズル機構と、を有することを特徴とする。
【発明の効果】
【００１０】
本発明によれば、降雪時や降雨時に特別な遮断板等を設置することなく、屋外の解放されている所定の領域に雪や雨が達することを防止する防雪・防雨装置が得られる。
【図面の簡単な説明】
【００１１】
【図１】本発明の実施例１の防雪・防雨装置の正面図である。
【図２】本発明の実施例２の防雪・防雨装置の正面図である。
【図３】本発明の実施例３の防雪・防雨装置の正面図である。
【図４】本発明の実施例４の防雪・防雨装置の正面図である。
【図５】本発明の実施例５の防雪・防雨装置の正面図である。
【図６】本発明の実施例６の防雪・防雨装置の正面図である。
【図７】本発明の実施例７の防雪・防雨装置の正面図である。
【図８】本発明の実施例８の防雪・防雨装置の正面図である。
【発明を実施するための形態】
【００１２】
本発明の防雪・防雨装置は、高圧エア源と、該高圧エア源から高圧エアを供給され、広帯域の幅にわたって均一の高圧エアを雪または雨に向けて噴射して雪または雨を飛ばす少なくとも１つのノズル機構と、該ノズル機構を上部に設置するためのポールと、を有することを特徴とする。
【００１３】
また、本発明の防雪・防雨装置は、高圧エア源と、該高圧エア源から高圧エアを供給され、広帯域の幅にわたって均一の高圧エアを雪または雨に向けて噴射して雪または雨を飛ばすために建物の部分に設置された少なくとも１つのノズル機構と、を有することを特徴とする。
【実施例１】
【００１４】
図１は本発明の実施例１の防雪・防雨装置の正面図である。図１において、防雪・防雨装置１０では、地面にポール（この実施例では中空ポール）１４が建てられており、中空ポール１４の上部には、その両側に、先行技術で説明した広帯域の幅にわたって均一の圧力で高圧エアを噴射するノズル機構１２が設置されている。ノズル機構１２は中空ポール１４の片側だけに設置されていてもよく、中空ポール１４に対して固定または角度調節可能に設置されている。中空ポール１４の頂部には、ノズル機構１２を雪や雨から守る遮蔽板１８が設けられている。
【００１５】
一方、中空ポール１４の近くの地面上には高圧エア（圧縮空気）を発生する高圧エア源（コンプレッサ）１６が設置されており、中空ポール１４の下部には設けられた流入口１４aから高圧エアが中空ポールの内部を通してノズル機構１２に供給されるように構成されている。なお、中空ポールに代えて、中実ポールを用いることもでき、その場合は、高圧エアは高圧エア源１６から中実ポールに取り付けられたチューブ（図示せず）を通してノズル機構１２に供給される。なお、以下の実施例においても、中空ポールに代えて、中実ポールとチューブを用いることができる。
【００１６】
高圧エア源１６からの高圧エアはノズル機構１２の噴射口（図示せず）から設定された角度で噴射される。この噴射エアによって、噴射エアの上方から降ってきた雪や雨はほぼ噴射方向に飛ばされ、中空ポール１４の両側の噴射領域の下方の地面には達せず、それより下方の空間領域の防雪・防雨が行われる。
【実施例２】
【００１７】
図２は本発明の実施例２の防雪・防雨装置の正面図である。図２の実施例２においては、実施例１と高圧エア源の設置方法が異なる。この実施例２では、高圧エア源１６が地面上ではなく、地面の下に設置されている。このため、高圧エア源１６は障害物となることはない。その他の構成は実施例１と同様であるので、詳細な説明は省略する。
【実施例３】
【００１８】
図３は本発明の実施例３の防雪・防雨装置の正面図である。図３の実施例３においては、実施例１と、ノズル機構１２が中空ポール１４の片側に上下二段に設置されている点で異なる。この実施例３では、上方のノズル機構１２で噴射しきれなかった雪や雨が下方のノズル機構１２で噴射され、噴射領域の下方の地面には達せず、それより下方の空間領域の防雪・防雨が行われる。
【実施例４】
【００１９】
図４は本発明の実施例４の防雪・防雨装置の正面図である。図４の実施例４においては、実施例３と高圧エア源の設置方法が異なる。この実施例４では、高圧エア源１６が地面上ではなく、地面の下に設置されている。このため、高圧エア源１６は障害物となることはない。その他の構成は実施例３と同様であるので、詳細な説明は省略する。
【実施例５】
【００２０】
図５は本発明の実施例５の防雪・防雨装置の正面図である。図５の実施例５においては、実施例３とノズル機構１２が中空ポールの両側に上下２段に設置されている点で異なる。この実施例５では、中空ポール１４の両側において、上方のノズル機構１２で噴射しきれなかった雪や雨が下方のノズル機構１２で噴射され、噴射領域の下方の地面には達せず、それより下方の空間領域の防雪・防雨が行われる。
【実施例６】
【００２１】
図６は本発明の実施例６の防雪・防雨装置の正面図である。図６の実施例６においては、実施例５と高圧エア源の設置方法が異なる。この実施例６では、高圧エア源１６が地面上ではなく、地面の下に設置されている。このため、高圧エア源１６は障害物となることはない。その他の構成は実施例５と同様であるので、詳細な説明は省略する。
【実施例７】
【００２２】
図７は本発明の実施例７の防雪・防雨装置の正面図である。実施例１〜６では、中空または中実のポールにノズル機構を設置してその片側または両側の領域に対する防雪・防雨に用いられる防雪・防雨装置の例を説明したが、実施例７では、建物の屋外領域の防雪・防雨に用いられる防雪・防雨装置が示されている。建物のテラスまたは軒２０の先端下部にノズル機構１２が設置されている。このノズル１２機構には、実施例１〜６と同様に、高圧エア源（図示せず）から高圧エアが供給され、テラス２０等の外方領域が防雪・防雨される。
【実施例８】
【００２３】
図８は本発明の実施例８の防雪・防雨装置の正面図である。実施例１〜６では、中空または中実のポールにノズル機構を設置してその片側または両側の領域に対する防雪・防雨に用いられる防雪・防雨装置の例を説明したが、実施例８では、建物の屋外領域の防雪・防雨に用いられる防雪・防雨装置が示されている。建物２２の屋根２２aの頂部の両側にノズル機構１２が設置されており、また、軒下にもノズル機構１２が設置されている。このノズル１２機構には、実施例１〜６と同様に、高圧エア源（図示せず）から高圧エアが供給され、屋根に降る雪を屋根から除き、また、軒下から外方の屋外領域に降る雪を除くことができる。
【符号の説明】
【００２４】
１０  防雪・防雨装置
１２  ノズル機構
１４  中空ポール
１６  高圧エア源
１８  遮蔽板
【図１】
2015094134.tif 000003
【図２】
2015094134.tif 000004
【図３】
2015094134.tif 000005
【図４】
2015094134.tif 000006
【図５】
2015094134.tif 000007
【図６】
2015094134.tif 000008
【図７】
2015094134.tif 000009
【図８】
2015094134.tif 000010